【手続補正書】
【提出日】平成20年8月1日(2008.8.1)
【手続補正１】
【補正対象書類名】明細書
【補正対象項目名】発明の名称
【補正方法】変更
【補正の内容】
【発明の名称】ズームレンズ制御装置、ズームレンズ制御方法、及びプログラム  
【手続補正２】
【補正対象書類名】明細書
【補正対象項目名】特許請求の範囲
【補正方法】変更
【補正の内容】
【特許請求の範囲】
【請求項１】  変倍動作を行うための第１のレンズユニットの移動に伴い、焦点面を補正するための第２のレンズユニットを移動させるズームレンズ制御装置において、
前記第１のレンズユニットの移動に伴う前記第２のレンズユニットの移動に、少なくとも第１の可動範囲及び該第１の可動範囲とは異なる第２の可動範囲を設定する可動範囲設定手段を有し、
前記第１の可動範囲における無限側移動限界位置が、焦点深度に応じて決まる所定値だけ、前記第２の可動範囲の無限側移動限界位置よりも至近側に設定されることを特徴とするズームレンズ制御装置。
【請求項２】  前記焦点深度は、絞り開口径に応じたＦ値と、撮像素子の画素サイズに応じた許容錯乱円径と、前記第２のレンズユニットの位置敏感度とに応じて決定されることを特徴とする請求項１記載のズームレンズ制御装置。
【請求項３】  前記第１のレンズユニットの移動に伴い前記第２のレンズユニットの駆動制御を行う駆動制御手段と、被写体光を受光し前記第１及び第２のレンズユニットを含む光学系の焦点調節信号を形成する焦点調節信号形成手段とを有し、
前記可動範囲設定手段は、前記駆動制御手段が前記焦点調節信号形成手段からの焦点調節信号を用いて前記第１のレンズユニットの移動に伴う前記第２のレンズユニットの駆動制御を行う場合には前記第１の可動範囲を設定し、前記駆動制御手段が前記焦点調節信号形成手段からの焦点調節信号を用いずに前記第１のレンズユニットの移動に伴う前記第２のレンズユニットの駆動制御を行う場合には前記第２の可動範囲を設定することを特徴とする請求項１又は２記載のズームレンズ制御装置。
【請求項４】  前記第１のレンズユニットの移動に伴い前記第２のレンズユニットの駆動制御を行う駆動制御手段と、被写体光を受光し前記第１及び第２のレンズユニットを含む光学系の焦点調節信号を形成する焦点調節信号形成手段とを有し、
前記可動範囲設定手段は、前記駆動制御手段が前記焦点調節信号形成手段からの焦点調節信号を用いて前記第１のレンズユニットの移動に伴う前記第２のレンズユニットの駆動制御を行う場合であって、且つ前記第１のレンズユニットが短焦点距離側から長焦点距離側へ移動する場合に、前記第１の可動範囲を設定することを特徴とする請求項１又は２記載のズームレンズ制御装置。
【請求項５】  前記第１の可動範囲は、前記第２の可動範囲より狭いことを特徴とする請求項３又は４記載のズームレンズ制御装置。
【請求項６】  変倍動作を行うための第１のレンズユニットの移動に伴い、焦点面を補正するための第２のレンズユニットを移動させるズームレンズ制御装置に適用されるズームレンズ制御方法において、
前記第１のレンズユニットの移動に伴う前記第２のレンズユニットの移動に、少なくとも第１の可動範囲及び該第１の可動範囲とは異なる第２の可動範囲を設定する可動範囲設定ステップを有し、
前記第１の可動範囲における無限側移動限界位置が、焦点深度に応じて決まる所定値だけ、前記第２の可動範囲の無限側移動限界位置よりも至近側に設定されることを特徴とするズームレンズ制御方法。
【請求項７】  変倍動作を行うための第１のレンズユニットの移動に伴い、焦点面を補正するための第２のレンズユニットを移動させるズームレンズ制御装置に適用されるズームレンズ制御方法を、コンピュータに実行させるためのプログラムにおいて、
前記ズームレンズ制御方法が、
前記第１のレンズユニットの移動に伴う前記第２のレンズユニットの移動に、少なくとも第１の可動範囲及び該第１の可動範囲とは異なる第２の可動範囲を設定する可動範囲設定ステップを有し、
前記第１の可動範囲における無限側移動限界位置が、焦点深度に応じて決まる所定値だけ、前記第２の可動範囲の無限側移動限界位置よりも至近側に設定されることを特徴とするプログラム。
【手続補正３】
【補正対象書類名】明細書
【補正対象項目名】０００１
【補正方法】変更
【補正の内容】
【０００１】
【発明の属する技術分野】
本発明は、ズームレンズ制御装置、ズームレンズ制御方法、及びプログラムに関し、特に、変倍動作を行うための第１のレンズユニットの移動に伴い、焦点面を補正するための第２のレンズユニットを移動させるズームレンズ制御装置、該ズームレンズ制御装置に適用されるズームレンズ制御方法、及び該ズームレンズ制御方法をコンピュータに実行させるためのプログラムに関する。
【手続補正４】
【補正対象書類名】明細書
【補正対象項目名】００４３
【補正方法】変更
【補正の内容】
【００４３】
本発明はこのような問題点に鑑みてなされたものであって、変倍動作時のピントボケの発生を防止して、快適な撮影を行えるようにしたズームレンズ制御装置、ズームレンズ制御方法、及びプログラムを提供することを目的とする。
【手続補正５】
【補正対象書類名】明細書
【補正対象項目名】００４４
【補正方法】変更
【補正の内容】
【００４４】
【課題を解決するための手段】
上記目的を達成するために、請求項１記載のズームレンズ制御装置によれば、変倍動作を行うための第１のレンズユニットの移動に伴い、焦点面を補正するための第２のレンズユニットを移動させるズームレンズ制御装置において、前記第１のレンズユニットの移動に伴う前記第２のレンズユニットの移動に、少なくとも第１の可動範囲及び該第１の可動範囲とは異なる第２の可動範囲を設定する可動範囲設定手段を有し、前記第１の可動範囲における無限側移動限界位置が、焦点深度に応じて決まる所定値だけ、前記第２の可動範囲の無限側移動限界位置よりも至近側に設定されることを特徴とする。
【手続補正６】
【補正対象書類名】明細書
【補正対象項目名】００４５
【補正方法】変更
【補正の内容】
【００４５】
また、請求項６記載のズームレンズ制御方法によれば、変倍動作を行うための第１のレンズユニットの移動に伴い、焦点面を補正するための第２のレンズユニットを移動させるズームレンズ制御装置に適用されるズームレンズ制御方法において、前記第１のレンズユニットの移動に伴う前記第２のレンズユニットの移動に、少なくとも第１の可動範囲及び該第１の可動範囲とは異なる第２の可動範囲を設定する可動範囲設定ステップを有し、前記第１の可動範囲における無限側移動限界位置が、焦点深度に応じて決まる所定値だけ、前記第２の可動範囲の無限側移動限界位置よりも至近側に設定されることを特徴とする。
【手続補正７】
【補正対象書類名】明細書
【補正対象項目名】００４６
【補正方法】変更
【補正の内容】
【００４６】
また、請求項７記載のプログラムによれば、変倍動作を行うための第１のレンズユニットの移動に伴い、焦点面を補正するための第２のレンズユニットを移動させるズームレンズ制御装置に適用されるズームレンズ制御方法を、コンピュータに実行させるためのプログラムにおいて、前記ズームレンズ制御方法が、前記第１のレンズユニットの移動に伴う前記第２のレンズユニットの移動に、少なくとも第１の可動範囲及び該第１の可動範囲とは異なる第２の可動範囲を設定する可動範囲設定ステップを有し、前記第１の可動範囲における無限側移動限界位置が、焦点深度に応じて決まる所定値だけ、前記第２の可動範囲の無限側移動限界位置よりも至近側に設定されることを特徴とする。
【手続補正８】
【補正対象書類名】明細書
【補正対象項目名】００４７
【補正方法】削除
【補正の内容】
【手続補正９】
【補正対象書類名】明細書
【補正対象項目名】００７６
【補正方法】変更
【補正の内容】
【００７６】
【発明の効果】
以上詳述したように、本発明によれば、変倍動作を行うための第１のレンズユニットの移動に伴い、焦点面を補正するための第２のレンズユニットを移動させるズームレンズ制御装置において、前記第１のレンズユニットの移動に伴う前記第２のレンズユニットの移動に、少なくとも第１の可動範囲及び該第１の可動範囲とは異なる第２の可動範囲を設定する。